【事件の表示】
　特願２００５−３７４２９５「放送受信装置および番組予約方法」拒絶査定不服審判事件〔平成１９年　７月１２日出願公開、特開２００７−１８０６７４〕について、次のとおり審決する。
【結　論】
　本件審判の請求は、成り立たない。
【理　由】
第１　手続の経緯
　
　本願は、平成１７年１２月２７日を出願日とする出願であって、手続の概要は以下のとおりである。 
　                                                      
拒絶理由通知　　　　 　：平成２３年　３月３０日（起案日）
拒絶理由通知　　　　　 ：平成２３年　６月２０日（起案日）
手続補正　　　　　　　 ：平成２３年　９月　５日
拒絶理由通知（最後） 　：平成２３年　９月２６日（起案日）
拒絶査定　　　　　　　 ：平成２３年１２月２６日（起案日）
拒絶査定不服審判請求　 ：平成２４年　４月１０日
拒絶理由（当審）　　 　：平成２５年　３月　５日（起案日）
手続補正　　　　　　　 ：平成２５年　５月１３日
拒絶理由（当審・最後） ：平成２５年　６月１１日（起案日）
手続補正　　　　　　　 ：平成２５年　８月１２日　
　
第２　本願発明
　本願の請求項１に係る発明（以下、「本願発明」という。）は、平成２５年８月１２日付けの手続補正書により補正された特許請求の範囲の請求項１に記載された事項により特定される、以下のとおりのものである。
　
　　【請求項１】
　放送を受信する放送受信手段と、
　番組の予約操作を行う操作手段と、
　該操作手段により番組の予約操作が行われると、該番組の予約操作が行われたタイミングを基準として所定時間前までに前記放送受信手段により受信した番組宣伝を表示し、表示された番組宣伝に対して選択操作が行われると、選択された番組宣伝に付随する情報に基づいて前記番組の予約設定を行う予約手段と、を具備し、
　前記予約手段は、当該番組が過去のものであれば前記予約設定の対象外とすることを特徴とする放送受信装置。
　
第３　平成２５年３月５日付け拒絶理由についての検討
ａ．平成２５年３月５日付け拒絶理由
　当審が平成２５年３月５日付けで通知した拒絶の理由３は以下のとおりのものである。
　
『３．この出願は、特許請求の範囲の記載が下記の点で、特許法第３６条第６項第１号、第２号に規定する要件を満たしていない。
　　　　　　　　　　　　　　　　　記
　１．請求項２（１〜２行目）の「該予約操作が行われたタイミングを基準として
所定時間前までに
　
　すなわち、上記拒絶の理由は「該予約操作が行われたタイミングを基準として
所定時間前までに
　
　ところで、本願発明も「該番組の予約操作が行われたタイミングを基準として所定時間前までに前記放送受信手段により受信した番組宣伝を表示し」の構成を有しているから、当該構成が発明の詳細な説明に記載されていないか以下で検討する。
　
ｂ．本願発明の検討
　特許法第３６条第６項第１号には「特許を受けようとする発明が発明の詳細な説明に記載したものであること。」と規定されている。
　また、特許法第３６条第４項には、「発明の詳細な説明の記載は、次の各号に適合するものでなければならない。」とし、特許法第３６条第４項第１号に「経済産業省令で定めるところにより、その発明の属する技術の分野における通常の知識を有する者がその実施をすることができる程度に明確かつ十分に記載したものであること。」とある。
　すなわち、特許法第３６条第６項第１号で「特許を受けようとする発明が発明の詳細な説明に記載したものであること。」と規定される「発明の詳細な説明に記載したものである」とは、「その発明の属する技術の分野における通常の知識を有する者がその実施をすることができる程度に明確かつ十分に記載した」発明の詳細な説明に記載したものであって、上記特許法第３６条第６項第１号の「特許を受けようとする発明が発明の詳細な説明に記載したものであること。」とは、特許を受けようとする発明（すなわち、特許請求の範囲に記載された発明）は「（発明の詳細な説明において）その発明の属する技術の分野における通常の知識を有する者がその実施をすることができる程度に明確かつ十分に記載した」ものでなければならないと捉えるべきであるといえる。
　したがって、以下では、本願発明の「該番組の予約操作が行われたタイミングを基準として所定時間前までに前記放送受信手段により受信した番組宣伝を表示し」の構成が、発明の詳細な説明において、「その発明の属する技術の分野における通常の知識を有する者がその実施をすることができる程度に明確かつ十分に記載した」ものであるか検討する。
　
（ｂ−１）本願発明
　まず、本願発明の「該番組の予約操作が行われたタイミングを基準として所定時間前までに前記放送受信手段により受信した番組宣伝を表示し」について検討する。
　上記記載によれば、「該番組の予約操作が行われたタイミングを基準として所定時間前までに」の記載は、「所定時間前までに・・受信した」と「所定時間前までに・・・番組宣伝を表示し」の二つの意味が考えられる。
　
（ｂ−１−１）「所定時間前までに・・受信した」の意味である場合
　本願発明の「該番組の予約操作が行われたタイミングを基準として所定時間前までに前記放送受信手段により受信した番組宣伝を表示し」は、番組の予約操作が行われたタイミングを基準として、該基準のタイミングから所定時間前までに放送受信手段により受信した番組宣伝なる番組宣伝が存在し、当該番組宣伝を表示するとの意味であるといえる。
　番組宣伝の表示に関する、発明の詳細な説明は、以下のとおりである。
　
　まず発明の詳細な説明の【０００６】には「また、本発明の放送受信装置は、放送を受信する放送受信手段と、番組の予約操作を行う操作手段と、該操作手段により予約操作が行われると、
該予約操作が行われたタイミングを基準として所定時間前までに前記放送受信手段により受信した番組宣伝コマーシャルを表示し
　しかし、上記記載は、特許請求の範囲の記載をそのまま転記したのみで、当該構成をどのように実施するか明確かつ十分に記載しているとはいえない。
　
　次に【発明を実施するための最良の形態】には、以下のとおりの記載がある。
　
　【００１３】
　ユーザが放送受信装置の電源をいれると、制御部１０４は、ＣＭ記憶部１１１，１１２のデータの消去を行う（Ｓ１０１）。放送受信部１０５が放送局２００からデジタル放送電波を受信すると、ＣＭ認識部１０７は、現在受信している放送内容が番組宣伝コマーシャル（以下、ＣＭという）であるか、シーンであるかの判別を行い（Ｓ１０２）、ＣＭであると判断した場合は、番組情報の抽出（番組タイトル、放送日時等）とＣＭ画像の録画を行う（Ｓ１０３）。ＣＭか否かの判定は、画像と多重化されて送信されるＣＭデータを解析して行う。
　【００１４】
　次に、制御部１０４は、ＣＭ記憶部１１１にデータが存在するかの判定を行い（Ｓ１０４）、データが存在しない場合には、そのまま番組情報とＣＭ画像をＣＭ記憶部１１１に保存する（Ｓ１０５）。ＣＭ記憶部１１１にデータが存在した場合、抽出した番組情報とＣＭ記憶部１１１に保存されている番組情報との比較を行い（Ｓ１０６）、同じＣＭであったならば、保存を行わない。同じＣＭでなかったならば、ＣＭ記憶部１１２にデータが存在するかの判定を行い（Ｓ１０７）、データが存在しない場合にはそのまま番組情報とＣＭ画像をＣＭ記憶部１１２に保存する（Ｓ１０９）。ＣＭ記憶部１１２にデータが存在した場合、抽出した番組情報とＣＭ記憶部１１２に保存されている番組情報との比較を行い（Ｓ１０８）、同じＣＭであったならば、保存を行わない。同じＣＭでなかったならば、番組情報とＣＭ画像をＣＭ記憶部１１２に保存する（Ｓ１０９）。このとき、ＣＭ記憶部１１２の情報をＣＭ記憶部１１１に移動し、ＣＭ記憶部１１２に現在取得したＣＭ情報を保存する（Ｓ１０９）。こうすることにより、最近放送されたＣＭを２つ記憶しておくことができる。なお、ＣＭ記憶部１１２の情報をＣＭ記憶部１１１に移動せず、常にＣＭ記憶部１１１とＣＭ記憶部１１２のどちらの情報が古いかを認識しておいて、古い方のＣＭ記憶部に現在取得した番組情報とＣＭ画像を保存するようにしても良い。
　【００１５】
　ユーザが操作部１０３を操作して、番組の予約動作を行ったときは（Ｓ１１０）、計時部１０６によってＣＭの放送が開始されてから操作部１０３の操作が行われるまでの時間を算出する（Ｓ１１１）。次に、ＣＭ記憶部１１２およびＣＭ記憶部１１１にデータが存在するかの判定を行い（Ｓ１１４，Ｓ１１５）、ＣＭ記憶部１１２にデータが存在せず、ＣＭ記憶部１１１にもデータが存在しない場合、予約動作は行わない。ＣＭ記憶部１１２にデータが存在せず、ＣＭ記憶部１１１にのみデータが存在する場合、ＣＭ記憶部１１１に保存されている番組情報より録画予約・視聴予約設定を行う。ＣＭ記憶部１１２にデータが存在した場合は、操作のタイミング判定を行う（Ｓ１１８）。
　【００１６】
　その後、図５に示すように、ＣＭ記憶部１１１、１１２に保存されている２つの画像を１つの画面表示部１０１に表示させ（Ｓ１１９）、録画予約・視聴予約画面を表示させて予約を行う（Ｓ１１６）。この動作をユーザが電源を切るまで繰り返す（Ｓ１１７）。
　
　以上の記載によれば、まず電源が投入されると、ＣＭ記憶部１１１，１１２のデータの消去を行い（Ｓ１０１）、デジタル放送を受信したときにＣＭか否かを判定し、ＣＭであればＣＭ記憶部１１１またはＣＭ記憶部１１２に記憶する。
　
　上記記憶の手法は、【００１４】の記載を見ると、概略、ＣＭ記憶部１１１またはＣＭ記憶部１１２にＣＭデータがなければ、データがないＣＭ記憶部に記憶し、ＣＭ記憶部１１１及びＣＭ記憶部１１２の両方にＣＭが記憶されている場合は、その古い方のデータを消去し、新しいＣＭデータを記憶することで、最近放送されたＣＭを２つ記憶（ＣＭ記憶部の数だけ）することが記載されているといえる。
　すなわち、上記記憶されるＣＭデータは、「番組の予約操作が行われたタイミングを基準として所定時間前まで」のタイミングとは関係なく、最も新しく受信したＣＭデータから数えてＣＭ記憶部の数だけ（実施例では２つ）記憶されるという技術思想が開示されるのみである。
　そして、上記記憶されたＣＭデータは、【００１６】の記載を見ると「ＣＭ記憶部１１１、１１２に保存されている２つの画像を１つの画面表示部１０１に表示させ」とあるから、「番組の予約操作が行われたタイミングを基準として所定時間前まで」のタイミングとは関係なく、最も新しく受信したＣＭデータから数えてＣＭ記憶部の数だけ（実施例では２つ）記憶された、該ＣＭデータが表示されるといえる。
　したがって、表示される番組宣伝は、「該番組の予約操作が行われたタイミングを基準として所定時間前までに前記放送受信手段により受信した番組宣伝」とはいえない。
　
　さらに他の記載について検討する。
　
　【００１５】には「ユーザが操作部１０３を操作して、番組の予約動作を行ったときは（Ｓ１１０）、計時部１０６によってＣＭの放送が開始されてから操作部１０３の操作が行われるまでの時間を算出する（Ｓ１１１）。」とあるから、ＣＭの放送が開始されてから操作部１０３の操作が行われるまでの時間を算出している。
　上記操作が行われる時間を利用しているのは、以下【００１７】−【００２０】の構成である。
　
　【００１７】
　次に、タイミング判定（Ｓ１１８）の動作を説明する。図６は、ＣＭが放送されているときのユーザのＣＭに対する興味の度合いを表す図である。図６に示すように、一般的にユーザのＣＭに対する興味は、ＣＭ開始時から徐々に高まり、一定値に達する。この状態はＣＭ終了まで持続し、ＣＭ終了後徐々に低くなっていき、次のＣＭに興味が移ると考えられる。また、日本におけるＣＭは、１５秒程度のものと、３０秒程度のものとがあるが、この傾向はどちらの場合でも大きな差はないと考えられる。
　【００１８】
　放送受信装置は、操作タイミング判定部１１４を備えており、操作タイミング判定部１１４は、図７の操作タイミンググラフに示すようなユーザ操作のタイミング判定基準を有している。計時部１０６の計測（Ｓ１１１）により、ユーザがもし、図７のユーザ操作２でＣＭ決定の操作をした場合、操作タイミング判定部１１４は、ＣＭ１の興味が薄れており、ＣＭ２が選択されたと判断する。ユーザが図７のユーザ操作１でＣＭ決定操作をした場合、ＣＭはＣＭ２が放送されているが、確率的にＣＭ１が選択された可能性が高い。このため、操作タイミング判定部１１４は、ＣＭ１が選択されたと判断する。
　【００１９】
　次に、録画予約・視聴予約（Ｓ１１６）の動作を説明する。表示されているＣＭ画面が１つの場合、そのまま録画予約・視聴予約の設定の有無を行う。表示されている画面が２つの場合、操作タイミング判定（Ｓ１１８）を行った結果、よりユーザが選択した可能性の高い画面にフォーカスを合わせる。図５の場合、右のＣＭのほうにフォーカス（太線）を合わせている。こうすることにより、ユーザは予約番組の選択動作を少なくすることができる。ユーザは２つの画面の予約したい番組にフォーカスを合わせて予約を行う。
　【００２０】
　また、操作タイミング判別部１１４は、ユーザの選択したＣＭにあわせて、操作タイミング判定部１１４の有する操作タイミンググラフを変化させることができる。具体例を図８に示す。図８のグラフは１５秒のＣＭが２つ流れる場合を想定している。横軸にＣＭ開始からの経過時間、縦軸にユーザのＣＭに対する興味を示しており、経過時間の（）内の数値はＣＭ２の経過時間である。いまユーザはＣＭ１の経過時間１５〜１８秒（ＣＭ２がスタートしてから３〜６秒経）でＣＭ選択操作を行ったとする。操作タイミング判定部１１４は、操作前グラフより、ＣＭ１が選択されたと判定する。しかし、実際にはユーザはＣＭ２を選択しており、ＣＭ２を予約したとする。このとき、ＣＭ２の選択されたタイミングの選択頻度を図８の操作後グラフのように変化させる。すなわち、操作タイミング判別を行うために、計時部１０６は、ＣＭ１およびＣＭ２のスタートからユーザがＣＭ決定操作を行うまでの時間を計測している。番組予約が行われた際、このデータを取得する。そして、どちらのＣＭが選択されたかにより、選択されたＣＭの選択された時間範囲の選択頻度を２ポイント上げ、選択されなかった方のＣＭの選択頻度を２ポイント下げる。また、次回選択されるときの誤差を考慮して、その前後の時間範囲の選択頻度を１ポイントずつ上げる、あるいは下げる。選択頻度の変更により、ＣＭ１とＣＭ２の選択頻度が同じとなった場合、強制的にＣＭ１が選択されたと判断する。こうすることにより、次回ユーザが同じタイミングで予約を行おうとしたとき、予約動作時のフォーカスはＣＭ１ではなくＣＭ２に合わせられる。これにより、さらにユーザの予約操作を行い易くすることができる。
　
　上記記載によれば、放送受信装置は、操作タイミング判定部１１４を備え、操作タイミング判定部１１４は、図７の操作タイミンググラフに示すようなユーザ操作のタイミング判定基準を有し、ユーザが、ＣＭ１を選択したのか、ＣＭ２を選択したのかいずれであるかを、上記ユーザ操作のタイミング判定基準に基づき判定している。そして、上記判定によれば、先に放送（画面に表示）されたＣＭ１が終了し、後に放送されるＣＭ２の表示に移行した状態でユーザが操作したとしても、ユーザのＣＭに対する興味の判定基準が、ＣＭ１の方が大きければ、ＣＭ１を選択することもあることが記載されている。すなわち、ユーザの操作タイミングを基準として、所定時間前に受信したＣＭ（番組宣伝）を選択しているといえる。
（【００１８】の記載より。）
　上記判定結果は、【００１９】に「操作タイミング判定（Ｓ１１８）を行った結果、よりユーザが選択した可能性の高い画面にフォーカスを合わせる。図５の場合、右のＣＭのほうにフォーカス（太線）を合わせている。こうすることにより、ユーザは予約番組の選択動作を少なくすることができる。ユーザは２つの画面の予約したい番組にフォーカスを合わせて予約を行う。」とあるから、ＣＭ記憶部１１１およびＣＭ記憶部１１２に記憶されたＣＭデータを表示する際、ユーザが選択した可能性の高い画面にフォーカスを合わせる表示（太線表示）を行うことを実現するためのものであるといえる。
　以上のことから、ユーザの操作タイミングを基準として、所定時間前に受信したＣＭ（番組宣伝）を選択し、選択した番組についてフォーカスを合わせた表示を行うことは記載されているといえる。
　しかし、上記表示されるＣＭ１とＣＭ２は、先に検討したようにＣＭ記憶部１１１およびＣＭ記憶部１１２に記憶されたＣＭデータからなるＣＭであるから、「該番組の予約操作が行われたタイミングを基準として所定時間前までに前記放送受信手段により受信した番組宣伝を表示し」における、表示される「前記放送受信手段により受信した番組宣伝」は、「予約操作が行われたタイミングを基準として所定時間前までに前記放送受信手段により受信した」か否かに関わらず、ＣＭ記憶部１１１およびＣＭ記憶部１１２に記憶されていることを条件として表示されるのであって、発明の詳細な説明に「該番組の予約操作が行われたタイミングを基準として所定時間前までに前記放送受信手段により受信した番組宣伝を表示し」の構成が記載されているということはできない。
　
（ｂ−１−２）「所定時間前までに・・・番組宣伝を表示し」の意味である場合
　この場合、本願発明の「該番組の予約操作が行われたタイミングを基準として所定時間前までに前記放送受信手段により受信した番組宣伝を表示し」は、「該番組の予約操作が行われたタイミングを基準として所定時間前までに番組宣伝を表示」する構成であるから、番組宣伝を表示するという動作が、該番組の予約操作が行われたタイミングを基準として所定時間前までになされる、すなわち、番組宣伝の表示が予約操作が行われたタイミングという基準より前になされるという意味であると捉えることができる。
　しかしながら、上記（ｂ−１−１）で検討した【００１４】−【００２０】の記載及び図３の記載を参酌すれば、番組宣伝の表示は、操作者が予約操作を行った後になされることは明白であり、「所定時間前までに・・・番組宣伝を表示し」なる構成が、発明の詳細な説明に記載されているということはできない。
　
　発明の詳細な説明の他の記載を見ても「該番組の予約操作が行われたタイミングを基準として所定時間前までに前記放送受信手段により受信した番組宣伝を表示し」に関する記載はない。
　
　したがって、特許請求の範囲に記載された「該番組の予約操作が行われたタイミングを基準として所定時間前までに前記放送受信手段により受信した番組宣伝を表示し」の構成は、発明の詳細な説明に記載したものであるということはできず、特許法第３６条第６項第１号に規定する要件を満たしているということはできない。
　
第４　むすび
　したがって、当審が通知した、その他の拒絶の理由を検討するまでもなく、本願は、特許法第３６条第６項第１号に規定する要件を満たしていない。 
　よって，結論のとおり審決する。